【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
装置の状態を示す状態情報を表示部に表示する表示装置であって、
前記表示部に表示すべき状態が複数あるか否か判断する判断手段と、
前記判断手段により表示すべき状態が複数あると判断された場合に、当該表示すべき複数の状態それぞれを示す状態情報を第１の表示形式に従って順次切り替えて１つずつ表示する第１の表示手段と、
前記判断手段により表示すべき状態が１つであると判断された場合に、当該表示すべき状態を示す状態情報を第２の表示形式に従って表示する第２の表示手段と、を備えることを特徴とする表示装置。
【請求項２】
前記第１の表示形式は、前記状態情報を簡略して前記表示部に納まるようにした短縮メッセージで前記複数の状態のそれぞれについて表示する形式であり、前記第２の表示形式は、前記状態情報を簡略しないメッセージで前記状態について表示する形式であることを特徴とする請求項１記載の表示装置。
【請求項３】
前記第２の表示形式に従ったメッセージが前記表示部に納まらない場合に、前記第２の表示手段は、当該メッセージを流れ文字表示することを特徴とする請求項１又は２に記載の表示装置。
【請求項４】
前記第２の表示形式に従ったメッセージが前記表示部に納まらない場合に、前記第２の表示手段は、当該メッセージをトグル表示することを特徴とする請求項２記載の表示装置。
【請求項５】
装置の状態を示す状態情報を表示部に表示する画像形成装置であって、
前記表示部に表示すべき状態が複数あるか否か判断する判断手段と、
前記判断手段により表示すべき状態が複数あると判断された場合に、当該表示すべき複数の状態それぞれを示す状態情報を第１の表示形式に従って順次切り替えて１つずつ表示する第１の表示手段と、
前記判断手段により表示すべき状態が１つであると判断された場合に、当該表示すべき状態を示す状態情報を第２の表示形式に従って表示する第２の表示手段と、を備えることを特徴とする画像形成装置。
【請求項６】
装置の状態を示す状態情報を表示部に表示する表示装置であって、
前記表示部に表示すべき状態が複数あるか否か判断する判断手段と、
前記判断手段により表示すべき状態が複数あると判断された場合に、当該表示すべき複数の状態それぞれを示す状態情報を簡略しないメッセージでトグル表示する第１の表示手段と、
前記判断手段により表示すべき状態が１つであると判断された場合に、当該表示すべき状態を示す状態情報を簡略しないメッセージで流れ文字表示する第２の表示手段と、を備えることを特徴とする表示装置。
【請求項７】
装置の状態を示す状態情報を表示部に表示する表示装置であって、
前記表示部に表示すべき状態が複数あるか否か判断する判断手段と、
前記判断手段により表示すべき状態が複数あると判断された場合に、当該表示すべき複数の状態それぞれを示す状態情報を簡略しないメッセージで、各メッセージが重ならないように流れ文字表示する第１の表示手段と、
前記判断手段により表示すべき状態が１つであると判断された場合に、当該表示すべき状態を示す状態情報を簡略しないメッセージで流れ文字表示する第２の表示手段と、を備えることを特徴とする表示装置。
【請求項８】
装置の状態を示す状態情報を表示部に表示する表示方法であって、
前記表示部に表示すべき状態が複数あるか否か判断する判断ステップと、
前記判断ステップにより表示すべき状態が複数あると判断された場合に、当該表示すべき複数の状態それぞれを示す状態情報を第１の表示形式に従って順次切り替えて１つずつ表示する第１の表示ステップと、
前記判断ステップにより表示すべき状態が１つであると判断された場合に、当該表示すべき状態を示す状態情報を第２の表示形式に従って表示する第２の表示ステップと、を有することを特徴とする表示方法。
【請求項９】
装置の状態を示す状態情報を表示部に表示する表示方法であって、
前記表示部に表示すべき状態が複数あるか否か判断する判断ステップと、
前記判断ステップにより表示すべき状態が複数あると判断された場合に、当該表示すべき複数の状態それぞれを示す状態情報を簡略しないメッセージでトグル表示する第１の表示ステップと、
前記判断ステップにより表示すべき状態が１つであると判断された場合に、当該表示すべき状態を示す状態情報を簡略しないメッセージで流れ文字表示する第２の表示ステップと、を有することを特徴とする表示方法。
【請求項１０】
装置の状態を示す状態情報を表示部に表示する表示方法であって、
前記表示部に表示すべき状態が複数あるか否か判断する判断ステップと、
前記判断ステップにより表示すべき状態が複数あると判断された場合に、当該表示すべき複数の状態それぞれを示す状態情報を簡略しないメッセージで、各メッセージが重ならないように流れ文字表示する第１の表示ステップと、
前記判断ステップにより表示すべき状態が１つであると判断された場合に、当該表示すべき状態を示す状態情報を簡略しないメッセージを流れ文字表示する第２の表示ステップと、を有することを特徴とする表示方法。
【請求項１１】
請求項８乃至１０のいずれか１項に記載の表示方法の各ステップをコンピュータに実行させることを特徴とするプログラム。
【手続補正２】
【補正対象書類名】明細書
【補正対象項目名】０００５
【補正方法】変更
【補正の内容】
【０００５】
上記目的を達成するために、請求項１記載の表示装置は、装置の状態を示す状態情報を表示部に表示する表示装置であって、前記表示部に表示すべき状態が複数あるか否か判断する判断手段と、前記判断手段により表示すべき状態が複数あると判断された場合に、当該表示すべき複数の状態それぞれを示す状態情報を第１の表示形式に従って順次切り替えて１つずつ表示する第１の表示手段と、前記判断手段により表示すべき状態が１つであると判断された場合に、当該表示すべき状態を示す状態情報を第２の表示形式に従って表示する第２の表示手段と、を備えることを特徴とする。
【手続補正３】
【補正対象書類名】明細書
【補正対象項目名】０００６
【補正方法】変更
【補正の内容】
【０００６】
請求項５記載の画像形成装置は、装置の状態を示す状態情報を表示部に表示する画像形成装置であって、前記表示部に表示すべき状態が複数あるか否か判断する判断手段と、前記判断手段により表示すべき状態が複数あると判断された場合に、当該表示すべき複数の状態それぞれを示す状態情報を第１の表示形式に従って順次切り替えて１つずつ表示する第１の表示手段と、前記判断手段により表示すべき状態が１つであると判断された場合に、当該表示すべき状態を示す状態情報を第２の表示形式に従って表示する第２の表示手段と、を備えることを特徴とする。
【手続補正４】
【補正対象書類名】明細書
【補正対象項目名】０００７
【補正方法】変更
【補正の内容】
【０００７】
請求項８記載の表示方法は、装置の状態を示す状態情報を表示部に表示する表示方法であって、前記表示部に表示すべき状態が複数あるか否か判断する判断ステップと、前記判断ステップにより表示すべき状態が複数あると判断された場合に、当該表示すべき複数の状態それぞれを示す状態情報を第１の表示形式に従って順次切り替えて１つずつ表示する第１の表示ステップと、前記判断ステップにより表示すべき状態が１つであると判断された場合に、当該表示すべき状態を示す状態情報を第２の表示形式に従って表示する第２の表示ステップと、を有することを特徴とする。
【手続補正５】
【補正対象書類名】明細書
【補正対象項目名】０００８
【補正方法】変更
【補正の内容】
【０００８】
請求項１１記載のプログラムは、上記表示方法をコンピュータに実行させることを特徴とする。